(57)【要約】【課題】この出願の発明は、耐候性、耐久性に優れ、雨や水や植物の成長で崩れることなく保形性を確保でき、また、植物を植えない状態や落葉した状態においても美観を保持することができ、更に、トンネルの壁面等その曲面にも現場で対応することが可能な壁面複合パネルを提供することを目的とするものである。【解決手段】上記課題を解決するため、耐久性、耐候性に優れた金属製又は樹脂製のパンチングシートで折板パネル、同材料でフラットパネルをそれぞれ成形し、該折板パネルの凹部にブロックを挿入するものである。【選択図】図１
2005036483.tif 000002
【特許請求の範囲】
【請求項１】
パンチングシートで成型された折板パネルと、該折板パネルの溝部に挿入されるブロックにより形成されることを特徴とする壁面複合パネル。
【請求項２】
上記パンチングシートは、耐久性、耐候性に優れた金属製又は樹脂製であることを特徴とする請求項１記載の壁面複合パネル。
【請求項３】
上記ブロックは、多孔質材料からなることを特徴とする請求項１又は請求項２記載の壁面複合パネル。
【請求項４】
上記ブロックは着生ブロックからなり、該着生ブロックを保水性シートで被覆することを特徴とする請求項１〜請求項３の何れか１記載の壁面複合パネル。
【請求項５】
支持部材間に、請求項４記載の壁面複合パネルを取り付け、該壁面複合パネルの上端部に、潅水パイプ及びカバー材を取り付けたことを特徴とする構造体。
【請求項６】
支持部材間に、請求項１〜３の何れか１記載の壁面複合パネルを取り付けたことを特徴とする構造体。
【請求項７】
上記支持部材は、自動車道の側縁に沿って取り付けた垂直部材からなることを特徴とする請求項５又は請求項６記載の構造体。
【請求項８】
上記支持部材は、バルコニーのスラブ上に取り付けた支柱からなることを特徴とする請求項５又は請求項６記載の構造体。
【請求項９】
上記支持部材は、トンネルの壁面に固定された支持部材からなることを特徴とする請求項５又は請求項６記載の構造体。
【発明の詳細な説明】
【技術分野】
【０００１】
この出願の発明は、都市の温暖化や騒音等を防ぐため、建築物の外壁、外装、バルコニーの立ち上がり壁、建築工作物の塀、擁壁、手摺、土木構築物のダム、堰提、橋梁、トンネル、および土木工作物の擁壁、塀、手摺等の緑化および吸音・遮音技術として、又、植裁土壌基盤を提供して壁面を緑化する壁面複合パネルおよびそれを使用する構造体に関するものである。
【背景技術】
【０００２】
従来より、建築構造物、土木構造物、建築工作物および土木工作物の水平面や傾斜面を植裁土壌基盤を用いて緑化することにより、落ち着いた雰囲気や精神的な安らぎ感を与えられるようにしたり、屋上等に薄い土壌を敷いて芝を植えることにより都市の温暖化を防ぐことは既に行われている。
一例として示す図７の壁面緑化用パネルＰ１は、人工土壌成形体１０１を押さえる前面パネル１０２と、被緑化壁に固定される背面パネル１０３との間に、防水性シート１０４、保水性シート１０５及び人工土壌成形体１０１を収納して形成されている（例えば、特許文献１参照）。
【特許文献１】特開２００１−１６９６５８号公報（第５頁，第１図）
【発明の開示】
【発明が解決しようとする課題】
【０００３】
しかし、従来の壁面緑化用パネルＰ１は、人工土壌成形体１０１を、補助フレームを備えた枠体で挟んでいるためにパネル単位で曲面に曲げることはできず、使用される場所に合わせて作らなければならなかった。また、壁面緑化用パネルＰ１を形成する部品が多いためにパネルは重いものとなり、更に、現場で組み立てることができず、工場からの搬送も容易ではなかった。
【０００４】
更に、リサイクル可能材を主原料としたもので成形されているものはなかった。また、植裁の土にあたる部分は従来土等を繊維状のもので繋いでいたために保形性が悪く、雨や水や植物の成長で崩れる場合が多かった。更に、壁面を構成する従来の壁面緑化用パネルは、植物が着生しない状態では意匠上美観上好ましくなかった。
【０００５】
この出願の発明は、耐候性、耐久性に優れ、雨や水や植物の成長で崩れることなく保形性を確保でき、また、植物を植えない状態や落葉した状態においても美観を保持することができ、更に、トンネルの壁面等その曲面にも現場で対応することが可能な壁面複合パネルおよびそれを使用する構造体を提供することを目的とするものである。
【課題を解決するための手段】
【０００６】
この出願の発明は、耐久性、耐候性に優れ、低比重材料であるアルミニウム材又はステンレス材等の金属製、又は樹脂製のパンチングシートにより折板パネル、フラットパネル等をそれぞれ成型し、該折板パネルの凹部にブロックを挿入した壁面複合パネルで、一方向に対して可撓性を、他方向に対して剛性を備えていることを特徴とするものである。
【０００７】
具体的構成の１は、パンチングシートで成型された折板パネルと、該折板パネルの溝部に挿入されるブロックにより形成されることを特徴とする壁面複合パネルである。
【０００８】
具体的構成の２は、パンチングシートは、耐久性、耐候性に優れた金属製、又は樹脂製であることをことを特徴とする壁面複合パネルである。
【０００９】
具体的構成の３は、上記ブロックは、多孔質材料からなることをことを特徴とする壁面複合パネルである。
具体的構成の４は、上記ブロックは着生ブロックからなり、該着生ブロックを保水性シートで被覆することを特徴とする壁面複合パネルである。
【００１０】
具体的構成の５は、支持部材間に着生ブロックを用いた壁面複合パネルを取り付け、該パネルの上端部に潅水パイプ及びカバー材を取り付けたことを特徴とする構造体である。
【発明の効果】
【００１１】
この出願の発明は、アルミニウム材又はステンレス材等の金属材、又は樹脂材のパンチングシートによる折板パネルとブロックにより壁面複合パネルが形成されているので、溝に沿って変形させることが可能であり、曲面にも現場で対応することができるので施工性がよく、又、景観・美観が良く、意匠的にも優れている。
更に、材料が少ないので軽量となり、各部材を分離して運ぶことができるので運搬が容易となる。
【００１２】
また、着生ブロックを使用して植生された植物が枯れてしまった場合、或いは植物を別のものに取り替えたい場合、着生ブロックを折板パネルから取り外すことにより、簡単に取り替えることができる。更に、折板パネル自体に孔があいているので潅水機能があり、又、折板構造体であるので、補強部材を使用しなくても大スパンが可能となる。
【発明を実施するための最良の形態】
【００１３】
この出願の発明は、金属製、又は樹脂製からなるパンチングシートを、複数のコの字型に加工して孔あき折板パネルを成型し、加工されたコの字型の裏側に、多孔質材料によるブロック、又は着生ブロック等を挿入した壁面複合パネルで、折板パネルに挿入されたブロックの脱落を防ぐため、パンチングシートによるフラットパネル、又はフラットバー、又は折板パネルを用いてブロックを固定してもよく、該壁面複合パネルは可撓性を有するので、取り付ける箇所が曲面であっても、現場において容易に取り付けることができる。
以下、この出願の発明である壁面複合パネルについて、図面に示す実施例に基づいて説明する。
【００１４】
図１は、壁面複合パネルＰの分解斜視図であり、図１ａは、ステンレス材又はアルミニウム材等の金属製、又は樹脂製からなるパンチングシートを、複数のコの字型に加工して成型した折板パネル１である。
該折板パネル１に設けた無数の孔を利用して植物が育ち、又折板パネル１の上方に設けた灌漑用パイプから、該孔を通して折板パネル１の中に設けた着生ブロック２への給水が可能となっている。
【００１５】
図１ｂは、上記コの字型に加工された折板パネル１の裏側より、該パネルの溝部１ａに挿入されるブロック（多孔質材料によるブロック、或いは着生ブロック等）２である。例えば、着生ブロック２の場合、図２に示すように、着生ブロック２に植え付ける植物の種類（種子・苗木等）に合わせ、いろいろな形状から成型されている。
また、折板パネル１の溝部１ａに挿入されるブロック２の脱落を防ぐため、例えば、溝部１ａの断面形状を鳩尾状として開口部を狭くし、この断面形状に合わせた形でブロック２を成型することにより、該ブロック２は、折板パネル１の溝部１ａに安定した状態で保持される。
【００１６】
図１ｃは、折板パネル１の裏側より、該パネルの溝部１ａに挿入されたブロック２が、該溝部１ａから脱落しないように、折板パネル１の裏側に取り付けられる金属製、又は樹脂製のパンチングシートからなるフラットパネル３で、折板パネル１の裏側にビス、ボルトナット等の固定金具により固定される。
図１ｄ，ｅは、同じく折板パネル１の裏側より、該パネルの溝部１ａに挿入されたブロック２が、該溝部１ａから脱落しないように、折板パネル１の裏側から取り付けられる金属材等からなるフラットバー４で、図１ｄに示すように横方向にして、又は、図１ｅに示すように縦方向にして折板パネル１の裏側に所定の間隔で設け、ビス、ボルトナット等の固定金具を用いて固定される。
図１ｆは、同じく折板パネル１の溝部１ａに挿入されたブロック２が、該溝部１ａから脱落しないように、溝部同士が対向するようにして取り付けられる、金属製、又は樹脂製のパンチングシートからなる折板パネル１で、該折板パネル１の溝部１ａにもブロック２が挿入される。
【００１７】
図２は、折板パネル１、着生ブロック２、及びフラットパネル３からなる壁面複合パネルＰと、異なる形状の着生ブロック２ａ〜２ｄを示すもので、図２ａに示す壁面複合パネルＰは、コの字型が複数連続するようにして加工された折板パネル１の溝部１ａに、軽量多孔質材料（例えば、連続気泡のセラミックス）で成形された着生ブロック２が挿入され、その背面にフラットパネル３を取り付けた壁面複合パネルＰの断面図で、図２ｂに示す壁面複合パネルＰは、断面ハット形からなる部材を複数枚接合した折板パネル１と、該折板パネル１の溝部１ａに挿入された着生ブロック２から形成され、背面にフラットパネルは取り付けられていない。
図２ｃは、折板パネル１の溝部１ａに挿入される着生ブロック２の実施例で、該着生ブロック２に植え付ける種子・苗木等に合わせた形状の異なる着生ブロック２ａ〜２ｄの斜視図が示されている。
【００１８】
壁面複合パネルＰを構成する折板パネル１は、図２ａに示すように、３つのコの字型が連続する折板パネル、或いは図２ｂに示すように、断面ハット形の部材を複数枚接合した折板パネル１からなり、該折板パネル１の裏側から溝部１ａに着生ブロック２を挿入した後、折板パネル１の裏側にフラットパネル３が取り付けられる。
【００１９】
図２ｃには、種子を植える小孔を設けた着生ブロック２ａが、また、小さな植木鉢に入れられた苗を植える中孔を設けた着生ブロック２ｂが、更に、大きな苗木を植え込む大孔を設けた着生ブロック２ｃが、また、軽量土からなる着生ブロック２ｄがそれぞれ示されている。
【００２０】
着生ブロック２は軽量多孔質材料から成形されるので、潅水パイプから注水してもすぐに乾く恐れがあり、それを防ぐための防水シート５、又は保水性シート５が、図２ｂ、図２ｃに示すように、底面、或いは底面および背面に取り付けられる。
【００２１】
以上説明したように、折板パネル１、ブロック２、フラットパネル３及びフラットバー４を適宜組み合わせて形成させる壁面複合パネルＰは、建築物、土木等の構造体の骨組みに取り付けられて使用される。
【実施例１】
【００２２】
図３ａは、壁面複合パネルＰを構造体に取り付ける分解斜視図を示し、図３ｂは、壁面複合パネルＰを構造体に取り付けて上から見た平面図、図３ｃは、壁面複合パネルＰを複数枚重ねて構造体に取り付けて上から見た平面図である。
【００２３】
壁面複合パネルＰを構成する折板パネル１は、アルミニウム材又はステンレス材等の金属材、又は樹脂材からなるシートに無数の孔を設けたパンチングシートを使用し、コの字型が複数連続する形に加工したり、或いは、断面ハット形に加工した部材を複数枚接合することによって折板パネル１が成型される。
【００２４】
構造体を構成するＨ形鋼からなる垂直部材（柱等）６、６間に、折板パネル１の溝部１ａを水平にし、加工されたコの字型の裏側に多孔質材料からなる着生ブロック２を挿入した折板パネル１を複数枚上方から順次落とし込み、垂直部材６のフランジ６ａにより折板パネル１が保持される。
【００２５】
この実施例では、折板パネル１の溝部に挿入された着生ブロック２を保持する部材は使用されていないが、必要であれば、アルミニウム材又はステンレス材の金属材、或いは樹脂材からなるシートに無数の孔を設けたフラットパネル（図１ｃ）、又は、所定の間隔で設けたフラットバー（図１ｄ）、又は、金属材、樹脂材からなるパンチングシートを加工して成型した折板パネル（図１ｅ）を、表板の折板パネル１の裏側に固定し、壁面複合パネルＰが形成される。
【００２６】
該壁面複合パネルＰの着生ブロック２には、苗或いは種子等が取り付けられるので、潅水される水が着生ブロック２に常時保持できる状態にするため、着生ブロック２の底面、又は底面および背面に、防水シート、又は保水性シート（図２ｂ、図２ｃ参照）が設けられる。
この様にして構造体に取り付けた壁面複合パネルＰの上端部に、着生ブロック２に注水を行う潅水パイプ７が取り付けられ、カバー材８によって覆われるが、最上部よりの潅水により、折板パネル１の孔を通して着生ブロックの多孔質部に水が浸透し最下部まで潅水が行きわたる。
【実施例２】
【００２７】
図４は、自動車道に沿って設ける緑化吸音壁を示す垂直断面図で、道路上に設けた基台上９に所定の間隔でＨ形鋼からなる支柱（図示せず）を取り付け、該支柱間に、折板パネル１の溝部１ａに着生ブロック２を挿入し、その裏側から取り付けたフラットパネル３等により該着生ブロック２を保持した壁面複合パネルＰが設けられている。
上記実施例と同様、着生ブロック２に潅水を行う潅水パイプ７が取り付けられ、笠木８によって被覆される。
【００２８】
図４ａに示す緑化吸音壁は、上方において屈曲されているが、壁面複合パネルは折板パネルから構成されているので、現場において簡単に曲げて取り付けることができる。  該壁面複合パネルＰの上端部には、上記実施例と同様、該壁面複合パネルＰを構成する着生ブロック２に注水する潅水用パイプ７が配管され、それを保護するカバー材８が取り付けられている。
【実施例３】
【００２９】
図５は、建築物のベランダ等における手摺１０で、図５ａには、ベランダの支柱１１間に、壁面複合パネルＰを取り付けた手摺の正面図が示されている。
【００３０】
図５ｂは、ベランダの支柱１１間に、壁面複合パネルＰを積層して取り付けた手摺１０の水平断面図で、金属材、又は樹脂材からなるシートに無数の孔を設けたパンチングシートをコの字形に連続加工して成形した折板パネル１、又は同じパンチングシートを使用して断面ハット形に加工した部材を複数枚接合して成型した折板パネル１の溝部１ａに着生ブロック２等を挿入し、その後方からフラットパネル３等を取り付けた壁面複合パネルＰが、積層された状態でベランダの床に立設した支柱１１の側壁から突出するフランジに固定されている。
【００３１】
図５ｃは、上記壁面複合パネルＰを、ベランダの支柱１１間に１枚取り付けた構造からなる手摺１０の水平断面図である。
実施例１と同様、壁面複合パネルＰを構成する着生ブロック２に注水する潅水用パイプ７が、壁面複合パネルＰの上端部に配管される。
【実施例４】
【００３２】
図６は、上記壁面複合パネルＰを、トンネル１２の内装材として使用した断面図が示されている。
トンネル１２の壁面に固定した支持部材１３に、折板パネル１、着生ブロック２から形成された壁面複合パネルＰが、固定金具により取り付けられている。
壁面複合パネルＰは、一方向に対して折曲可能であるので、トンネル１２の曲面に応じた形に曲げて、簡単に取り付けることができる。
【図面の簡単な説明】
【００３３】
【図１】本発明の壁面複合パネルの分解斜視図である。
【図２】本発明の壁面複合パネルの断面図と着生ブロックの斜視図である。
【図３】本発明の壁面複合パネルを、構造体に取り付ける分解斜視図及び平面図である。
【図４】本発明の壁面複合パネルを、道路に沿って取り付けた断面図である。
【図５】本発明の壁面複合パネルを建築物のバルコニー取り付けた正面図及び断面図である。
【図６】本発明の壁面複合パネルを、トンネルの内壁に取り付けた断面図である。
【図７】従来例を示す分解斜視図である。
【符号の説明】
【００３４】
Ｐ    壁面複合パネル
１    折板パネル
１ａ  溝部
２    着生ブロック
２ａ  着生ブロック
２ｂ  着生ブロック
２ｃ  着生ブロック
２ｄ  着生ブロック
３    フラットパネル
４    フラットバー
５    防水シート又は保水性シート
６    垂直部材
７    潅水パイプ
８    カバー材
９    基台
１０    手摺
１１    支柱
１２    トンネル
１３    支持部材
Ｐ１    壁面緑化用パネル
１０１  人工土壌成形体
１０２  前面パネル
１０３  背面パネル
１０４  防水性シート
１０５  保水性シート
【図１】
2005036483.tif 000003
【図２】
2005036483.tif 000004
【図３】
2005036483.tif 000005
【図４】
2005036483.tif 000006
【図５】
2005036483.tif 000007
【図６】
2005036483.tif 000008
【図７】
2005036483.tif 000009